(57)【特許請求の範囲】
【請求項１】
染色液の導電率を検出する導電率検出手段と、
前記染色液の吸光度を検出する吸光度検出手段と、
前記導電率検出手段による前記染色液の前記検出導電率を用いて前記染色液のヨウ化カリウムの濃度を演算する第１濃度演算手段と、
前記吸光度検出手段による前記検出吸光度及び前記第１濃度演算手段による前記染色液の前記ヨウ化カリウムの演算濃度を用いて前記染色液のヨウ素の濃度を演算する第２濃度演算手段と、
前記第１濃度演算手段による前記染色液の前記ヨウ化カリウムの前記演算濃度及び前記第２濃度演算手段による前記染色液の前記ヨウ素の前記演算濃度を表示する表示手段とを備える染色液の成分濃度モニタ装置。
【請求項２】
前記第１濃度演算手段による前記染色液の前記ヨウ化カリウムの前記演算濃度及び前記第２濃度演算手段による前記染色液の前記ヨウ素の演算濃度について各対応の所定の管理値からのずれを演算するずれ演算手段を備えて、
前記表示手段は、更に前記ずれ演算手段の演算による前記各管理値からの前記ずれを表示することを特徴とする請求項１に記載の染色液の成分濃度モニタ装置。
【請求項３】
染色液の導電率を検出する導電率検出手段と、
前記染色液の吸光度を検出する吸光度検出手段と、
前記導電率検出手段による前記染色液の前記検出導電率を用いて前記染色液のヨウ化カリウムの濃度を演算する第１濃度演算手段と、
前記吸光度検出手段による前記染色液の前記検出吸光度及び前記第１濃度演算手段による前記染色液の前記ヨウ化カリウムの演算濃度を用いて前記染色液のヨウ素の濃度を演算する第２濃度演算手段と、
当該第２濃度演算手段による前記染色液の前記ヨウ素の前記演算濃度及び前記第１濃度演算手段による前記染色液の前記ヨウ化カリウムの前記演算濃度について各対応の所定の管理値からのずれを演算するずれ演算手段と、
当該ずれ演算手段の演算による前記各管理値からの前記ずれを減少させるように制御出力を発生する制御出力発生手段とを備える染色液の成分濃度制御装置。
【請求項４】
前記第１濃度演算手段による前記染色液の前記ヨウ化カリウムの前記演算濃度及び前記第２濃度演算手段による前記染色液の前記ヨウ素の前記演算濃度並びに前記ずれ演算手段の演算による前記各管理値からの前記ずれを表示する表示手段を備えることを特徴とする請求項３に記載の染色液の成分濃度制御装置。
【請求項５】
請求項３に記載の染色液の成分濃度制御装置と、
前記染色液を貯える染色液貯蔵手段と、
少なくともヨウ素及びヨウ化カリウムを前記染色液貯蔵手段に供給する供給手段と、
前記成分濃度制御装置の前記制御出力発生手段からの制御出力に基づいて前記供給手段から前記染色液貯蔵手段への前記ヨウ素及び前記ヨウ化カリウムの供給量を制御する制御手段とを備える染色装置。
【請求項６】
前記第１濃度演算手段による前記染色液の前記ヨウ化カリウムの前記演算濃度及び前記第２濃度演算手段による前記染色液の前記ヨウ素の前記演算濃度並びに前記ずれ演算手段の演算による前記各管理値からの前記ずれを表示する表示手段を備えることを特徴とする請求項５に記載の染色装置。
【請求項７】
染色液の導電率を検出する導電率検出手段と、
前記染色液の吸光度を検出する吸光度検出手段と、
前記導電率検出手段による前記染色液の前記検出導電率を用いて前記染色液のヨウ化カリウムの濃度を演算する第１濃度演算手段と、
前記吸光度検出手段による前記染色液の前記検出吸光度及び前記第１濃度演算手段による前記ヨウ化カリウムの前記演算濃度を用いて前記染色液のヨウ素の濃度を演算する第２濃度演算手段と、
当該第２濃度演算手段の前記ヨウ素の前記演算濃度について所定の管理値からのずれを演算するずれ演算手段と、
当該ずれ演算手段の演算による前記管理値からの前記ずれを減少させるように制御出力を発生する制御出力発生手段とを備える染色液の成分濃度制御装置。
【請求項８】
請求項７に記載の染色液の成分濃度制御装置と、
前記染色液を貯える染色液貯蔵手段と、
ヨウ素を前記染色液貯蔵手段に供給する供給手段と、
前記成分濃度制御装置の前記制御出力発生手段からの制御出力に基づいて前記供給手段から前記染色液貯蔵手段への前記ヨウ素の供給量を制御する制御手段とを備える染色装置。
【発明の詳細な説明】
【技術分野】
【０００１】
本発明は、少なくともヨウ素及びヨウ化カリウムを成分として含有する染色液の成分濃度をモニタするための成分濃度モニタ装置及び当該成分濃度を一定に制御するための成分濃度制御装置並びに当該成分濃度制御装置を装備した染色装置に関するものである。
【背景技術】
【０００２】
画像表示装置、例えば、液晶ディスプレイ（ＬＣＤ）等に用いられる偏光子としては、一般に、ヨウ素染色されたポリビニルアルコール系フィルムが用いられる。【０００３】
上記偏光子の製造は、一般に、ポリビニルアルコール系フィルムを製膜後、膨潤工程、染色工程、延伸工程、固定化工程、水洗工程及び乾燥工程を経て行われる。【０００４】
上記各工程の中で、染色工程は、膨潤工程を経た後のポリビニルアルコール系フィルムをヨウ素により染色するものであり、その方法としては、一般に、ヨウ素とヨウ素の溶解助剤であるヨウ化カリウムを成分として含有する水溶液に当該ポリビニルアルコール系フィルムを浸漬して行われる。【０００５】
上記各工程は、工業的には連続して行われ、染色工程には、膨潤工程を経て水分を含有したポリビニルアルコール系フィルムが連続して導入され、一方、染色によりヨウ素を含有したポリビニルアルコール系フィルムが連続して導出される。【０００６】
従って、染色液の成分濃度が経時的に変化するために、当該成分濃度を把握し一定に制御することが困難である。その結果、ポリビニルアルコール系フィルムに染色されるヨウ素の量が変化し、得られた偏光子の品質を不安定にし、歩留りを低下させる。【０００７】
上記問題に対して、下記特許文献１においては、製膜したポリビニルアルコール系フィルムにアルカリ金属のヨウ化物を含む処理液を浸漬してヨウ化物イオン（Ｉ-）を含有させ、その後、紫外光又は可視光を照射して当該ヨウ化物イオンを酸化してヨウ素（Ｉ2）を生成させる方法が提案されている。
【特許文献１】特開２００５−５４１７１号公報
【発明の開示】
【発明が解決しようとする課題】
【０００８】
ところで、上記特許文献１に記載の方法においても、処理液中のヨウ化物イオンと対イオンであるアルカリ金属イオンの量が経時的に変化して、この場合でも処理液の成分濃度を把握し一定に制御することが必要である。【０００９】
そこで、本発明は、上記の諸問題に対処して、これまで困難とされていた染色液の成分濃度を把握し一定に制御することを容易にするためになされたものである。【００１０】
具体的には、本発明は、ヨウ素及びヨウ化カリウムを成分として含有する染色液の成分濃度をモニタするための成分濃度モニタ装置及び当該成分濃度を一定に制御するための成分濃度制御装置並びに当該成分濃度制御装置を装備した染色装置を提供することを目的とする。
【課題を解決するための手段】
【００１１】
上記課題の解決にあたり、本発明者らは、鋭意研究の結果、染色液の導電率が、ヨウ化カリウムの濃度と密接な関係にあり、また、染色液の所定波長における吸光度が、ヨウ化カリウムの濃度及びヨウ素の濃度と密接な関係にあることを実験的に見出した。そして、上記結果を利用することにより、染色液の成分濃度を正確に把握することが可能となり、本発明の完成に至った。【００１２】
即ち、本発明に係る染色液の成分濃度モニタ装置は、
染色液の導電率を検出する導電率検出手段（３１）と、
染色液の吸光度を検出する吸光度検出手段（３２）と、
導電率検出手段による染色液の上記検出導電率を用いて染色液のヨウ化カリウムの濃度を演算する第１濃度演算手段（１０５）と、
吸光度検出手段による上記検出吸光度及び第１濃度演算手段による染色液のヨウ化カリウムの演算濃度を用いて染色液のヨウ素の濃度を演算する第２濃度演算手段（１０６、１０７）と、
第１濃度演算手段による染色液のヨウ化カリウムの上記演算濃度及び第２濃度演算手段による染色液のヨウ素の上記演算濃度を表示する表示手段（３６、３７、１０９）とを備える。
【００１３】
上記構成によれば、染色液の検出導電率を用いて染色液のヨウ化カリウムの濃度を演算し、かつ、染色液の検出吸光度及び染色液のヨウ化カリウムの演算濃度を用いて染色液のヨウ素の濃度を演算することで、これまで困難とされていた染色液の成分濃度（ヨウ素の濃度及びヨウ化カリウムの濃度）をモニタすることが可能となる。従って、染色液の成分濃度の変化を把握することができるので、当該成分濃度を一定に制御するための操作を迅速にすることができる。
【００１４】
また、本発明に係る染色液の成分濃度モニタ装置は、さらに、第１濃度演算手段による染色液のヨウ化カリウムの上記演算濃度及び第２濃度演算手段による染色液のヨウ素の上記演算濃度について各対応の所定の管理値からのずれを演算するずれ演算手段（１０８）を備えて、表示手段は、更に上記各管理値からの上記ずれを表示することを特徴とする。
【００１５】
上記構成によれば、染色液の検出導電率を用いて染色液のヨウ化カリウムの濃度を演算し、かつ、染色液の検出吸光度及び染色液のヨウ化カリウムの演算濃度を用いて染色液のヨウ素の濃度を演算することで、これまで困難とされていた染色液の成分濃度（ヨウ素の濃度及びヨウ化カリウムの濃度）をモニタすることに加え、当該成分濃度の各管理値からのずれをモニタすることが可能となる。従って、染色液の成分濃度とこれらの各管理値からのずれを把握することができるので、当該成分濃度を一定に制御するための操作を迅速にすることができる。
【００１６】
また、本発明に係る染色液の成分濃度制御装置は、
染色液の導電率を検出する導電率検出手段（３１）と、
染色液の吸光度を検出する吸光度検出手段（３２）と、
上記導電率検出手段による前記染色液の前記検出導電率を用いて上記染色液のヨウ化カリウムの濃度を演算する第１濃度演算手段（１０５）と、
吸光度検出手段による上記染色液の上記検出吸光度及び第１濃度演算手段による上記染色液の上記ヨウ化カリウムの演算濃度を用いて上記染色液のヨウ素の濃度を演算する第２濃度演算手段（１０６、１０７）と、
当該第２濃度演算手段による染色液のヨウ素の上記演算濃度及び第１濃度演算手段による染色液のヨウ化カリウムの上記演算濃度について各対応の所定の管理値からのずれを演算するずれ演算手段（１０８）と、
当該ずれ演算手段の演算による上記各管理値からの上記ずれを減少させるように制御出力を発生する制御出力発生手段（１１０〜１４２）とを備える。
【００１７】
上記構成によれば、染色液の検出導電率を用いて染色液のヨウ化カリウムの濃度を演算し、かつ、染色液の検出吸光度及び染色液のヨウ化カリウムの演算濃度を用いて染色液のヨウ素の濃度を演算することで、当該ヨウ素の演算濃度及びヨウ化カリウムの演算濃度について各対応の所定の管理値からのずれを減少させるための制御出力を得ることができる。当該制御出力によって染色液の成分濃度を一定に制御するための操作手段を自動的に操作することができる。従って、これまで困難とされていた染色液の成分濃度制御を容易にすることが可能になる。
【００１８】
また、本発明に係る染色液の成分濃度制御装置は、第１濃度演算手段による染色液のヨウ化カリウムの上記演算濃度及び第２濃度演算手段による染色液のヨウ素の上記演算濃度並びにずれ演算手段の演算による上記各管理値からの上記ずれを表示する表示手段（３６、３７、１０９）を備えることを特徴とする。
【００１９】
上記構成によれば、これまで困難とされていた染色液の成分濃度制御を容易にすることが可能になることに加え、染色液の成分濃度（ヨウ素の濃度及びヨウ化カリウムの濃度）及び当該成分濃度の各管理値からのずれを表示手段によりモニタすることが可能となる。従って、染色液の成分濃度が一定に制御されていることの確認をすることができる。
【００２０】
また、本発明に係る染色装置は、上記成分濃度制御装置と、上記染色液を貯える染色液貯蔵手段（１１、１２）と、少なくともヨウ素及びヨウ化カリウムを上記染色液貯蔵手段に供給する供給手段（２１〜２６）と、上記成分濃度制御装置の上記制御出力発生手段からの制御出力に基づいて上記供給手段から上記染色液貯蔵手段への上記ヨウ素及びヨウ化カリウムの供給量を制御する制御手段（Ｎ１〜Ｎ３、Ｍ３〜Ｍ５、Ｐ３〜Ｐ５）とを備える。【００２１】
上記構成によれば、上記制御出力発生手段からの制御出力に基づいて上記各管理値からのずれを減少させるように染色液の成分濃度を一定に制御するための操作が自動的に行われる。従って、染色液の成分濃度が一定に制御された染色槽においてポリビニルアルコール系フィルムの染色をすることができる。【００２２】
即ち、ポリビニルアルコール系フィルムの染色工程において、経時的に変化する染色液のヨウ素の濃度及びヨウ化カリウムの濃度について各所定の管理値からのずれを求め、求められた各管理値からのずれを減少させるように染色液の成分であるヨウ素及びヨウ化カリウムを染色液に追加する供給量を制御することができる。【００２３】
従って、本発明の結果、染色液の成分濃度を一定に制御することができるようになり、ポリビニルアルコール系フィルムに染色されるヨウ素の量が安定し、得られた偏光子の品質の安定と歩留りの向上が可能となる。【００２４】
また、本発明に係る染色装置は、第１濃度演算手段による染色液のヨウ化カリウムの上記演算濃度及び第２濃度演算手段による染色液のヨウ素の上演算濃度並びにずれ演算手段の演算による上記各管理値からの上記ずれを表示する表示手段（３６、３７、１０９）を備えることを特徴とする。
【００２５】
上記構成によれば、これまで困難とされていた染色液の成分濃度制御を容易にして、染色液の成分濃度が一定に制御された染色槽においてポリビニルアルコール系フィルムの染色をすることができることに加え、染色液の成分濃度（ヨウ素の濃度及びヨウ化カリウムの濃度）及び当該成分濃度の各管理値からのずれを表示手段によりモニタすることが可能となる。従って、染色液の成分濃度が一定に制御されていることの確認をすることができる。
【００２６】
また、本発明に係る染色液の成分濃度制御装置は、
染色液の導電率を検出する導電率検出手段（３１）と、
染色液の吸光度を検出する吸光度検出手段（３２）と、
導電率検出手段による染色液の上記検出導電率を用いて染色液のヨウ化カリウムの濃度を演算する第１濃度演算手段（１０５）と、
吸光度検出手段による染色液の上記検出吸光度及び第１濃度演算手段によるヨウ化カリウムの上記演算濃度を用いて染色液のヨウ素の濃度を演算する第２濃度演算手段（１０６、１０７）と、
当該第２濃度演算手段のヨウ素の上記演算濃度について所定の管理値からのずれを演算するずれ演算手段ずれ演算手段（１０８）と、
当該ずれ演算手段の演算による上記管理値からの上記ずれを減少させるように制御出力を発生する制御出力発生手段（１１０〜１１５）とを備える。
【００２７】
上記構成によれば、染色液の検出導電率を用いて染色液のヨウ化カリウムの濃度を演算し、かつ、染色液の検出吸光度及び染色液のヨウ化カリウムの演算濃度を用いて染色液のヨウ素の濃度を演算することで、当該ヨウ素の演算濃度について所定の管理値からのずれを演算して、上記管理値からのずれを減少させるための制御出力を得ることができる。当該制御出力によって染色液の主たる成分であるヨウ素の濃度を一定に制御するための操作手段を自動的に操作することができる。従って、これまで困難とされていた染色液の主たる成分であるヨウ素の濃度制御を容易にすることが可能になる。
【００２８】
また、本発明に係る染色装置は、上記染色液の成分濃度制御装置と、上記染色液を貯える染色液貯蔵手段（１１、１２）と、ヨウ素を染色液貯蔵手段に供給する供給手段（２１、２４）と、上記成分濃度制御装置の上記制御出力発生手段からの制御出力に基づいて供給手段から染色液貯蔵手段への上記ヨウ素の供給量を制御する制御手段（Ｎ１、Ｍ３、Ｐ３）とを備える。【００２９】
上記構成によれば、制御出力発生手段からの制御出力に基づいて上記管理値からのずれを減少させるように染色液の主たる成分であるヨウ素の濃度を一定に制御するための操作が自動的に行われる。従って、染色液の主たる成分であるヨウ素の濃度が一定に制御された染色槽においてポリビニルアルコール系フィルムの染色をすることができる。【００３０】
即ち、ポリビニルアルコール系フィルムの染色工程において、経時的に変化する染色液の主たる成分であるヨウ素の濃度について所定の管理値からのずれを求め、求められた管理値からのずれを減少させるように染色液の主たる成分であるヨウ素を染色液に追加する供給量を制御することができる。
【発明を実施するための最良の形態】
【００３１】
以下、本発明の一実施形態を図面に基づいて説明する。図１は、本発明を染色装置に適用した一実施形態を示している。当該染色装置は、染色ユニット１０と、供給ユニット２０と、制御ユニット３０とにより構成されている。【００３２】
染色ユニット１０は、染色槽１１と、調整槽１２と、回収槽１３とを備えている。【００３３】
染色槽１１は、循環配管１４ａ及び１４ｂによって、それぞれ別経路で調整槽１２に連結されている。このように連結された染色槽１１と調整槽１２とは、ポリビニルアルコール系フィルムＦを染色するための染色液Ｌを貯えている。なお、染色槽１１の内部に設置された１７ａ〜１７ｄは、被染色物であるポリビニルアルコール系フィルムＦを導入するためのガイドロールである。【００３４】
調整槽１２は、更に検出配管１５によって染色槽１１に連結され、この調整槽１２は、染色液Ｌの成分濃度の制御を行うために供給ユニット２０に連結されている。【００３５】
回収槽１３は、染色槽１１の所定容量を越える余剰の染色液Ｌを回収するために回収配管１６によって染色槽１１に連結されている。【００３６】
供給ユニット２０は、供給槽２１〜２３を備えている。ここで、供給槽２１〜２３は、それぞれ供給配管２４〜２６によって、調整槽１２に連結されている。【００３７】
供給槽２１は、染色液Ｌのヨウ素の濃度を制御するためのヨウ素及びヨウ化カリウムの混合水溶液（以下、「Ｉ2／ＫＩ混合水溶液」という。）を貯えている。供給槽２２は、染色液Ｌのヨウ化カリウムの濃度を制御するためのヨウ化カリウム水溶液（以下、「ＫＩ水溶液」という。）を貯えている。また、供給槽２３は、染色液Ｌのヨウ化カリウムの濃度を調整するための水（以下、単に「水」という。）を貯えている。【００３８】
制御ユニット３０は、導電率センサ３１と、吸光度センサ３２と、マイクロコンピュータ３３と、駆動回路３４〜３６と、モニタ３７と、インバータＮ１〜Ｎ３とを備えている。【００３９】
導電率センサ３１は、検出配管１５に設置されており、この導電率センサ３１は、染色液Ｌの導電率を検出しマイクロコンピュータ３３（後述する）に出力する。なお、本実施形態では、導電率センサ３１として、株式会社東興化学研究所製 導電率計ＴＣＸ−９８が採用されている。【００４０】
吸光度センサ３２は、検出配管１５に設置されており、この吸光度センサ３２は、染色液Ｌの吸光度を検出しマイクロコンピュータ３３（後述する）に出力する。なお、本実施形態では、吸光度センサ３２として、笠原理化工業株式会社製  液体濃度計  ＣＲ−５０２Ｐ（検出器  ＣＲＤ−１０Ｐ）が採用されている。【００４１】
マイクロコンピュータ３３は、図２〜図４に示すフローチャートに従い、コンピュータプログラムを実行する。なお、上記コンピュータプログラムは、マイクロコンピュータ３３のＲＯＭに当該マイクロコンピュータにより読み出し可能に記憶されている。【００４２】
駆動回路３４は、マイクロコンピュータ３３による制御のもと、ポンプＰ１のモータＭ１を駆動する。このポンプＰ１は、モータＭ１を内蔵してなるもので、当該ポンプＰ１は、循環配管１４ｂに設置されている。しかして、このポンプＰ１は、モータＭ１により駆動されて調整槽１２内の染色液Ｌを染色槽１１に流出させる。【００４３】
また、駆動回路３５は、マイクロコンピュータ３３による制御のもと、ポンプＰ２のモータＭ２を駆動する。このポンプＰ２は、モータＭ２を内蔵してなるもので、当該ポンプＰ２は、検出配管１５に設置されている。しかして、このポンプＰ２は、モータＭ２により駆動されて、染色槽１１内の染色液Ｌを調整槽１２に流出させる。【００４４】
なお、本実施形態では、上記ポンプＰ１及びＰ２としては、共に、同一の構成及び機能を有するモータ内蔵型自吸式ポンプが採用されている。【００４５】
また、駆動回路３６は、マイクロコンピュータ３３による制御のもと、モニタ３７を駆動する。【００４６】
モニタ３７は、駆動回路３６により駆動されて、所定のデータをモニタ画面に表示する。【００４７】
インバータＮ１〜Ｎ３は、共に、同一の構成及び機能を有しており、これらのインバータＮ１〜Ｎ３は、それぞれのインバータ出力をマイクロコンピュータ３３からの補正出力に比例させて補正する。以下、この補正されたインバータ出力を「補正インバータ出力」という。【００４８】
インバータＮ１は、マイクロコンピュータ３３による制御のもと、補正インバータ出力をポンプＰ３のモータＭ３に出力する。このポンプＰ３は、モータＭ３を内蔵してなるもので、当該ポンプＰ３は、供給配管２４に設置されている。しかして、このポンプＰ３は、
インバータＮ１の補正インバータ出力に基づきモータＭ３により駆動されて、供給槽２１内のＩ2／ＫＩ混合水溶液を調整槽１２に供給する。【００４９】
インバータＮ２は、マイクロコンピュータ３３による制御のもと、所定の起動インバータ出力又は補正インバータ出力をポンプＰ４のモータＭ４に出力する。このポンプＰ４は、モータＭ４を内蔵してなるもので、当該ポンプＰ４は、供給配管２５に設置されている。しかして、このポンプＰ４は、インバータＮ２の所定の起動インバータ出力又は補正インバータ出力に基づき駆動されて、供給槽２２内のＫＩ水溶液を調整槽１２に供給する。【００５０】
また、インバータＮ３は、マイクロコンピュータ３３による制御のもと、所定の起動インバータ出力又は補正インバータ出力をポンプＰ５のモータＭ５に出力する。このポンプＰ５は、モータＭ５を内蔵してなるもので、当該ポンプＰ５は、供給配管２６に設置されている。しかして、このポンプＰ５は、インバータＮ３の所定の起動インバータ出力又は補正インバータ出力に基づきモータＭ５により駆動されて、供給槽２３内の水を調整槽１２に供給する。【００５１】
なお、本実施形態では、上記ポンプＰ３〜Ｐ５として、同一の構成及び機能を有するモータ内蔵型ダイヤフラム式定量ポンプが採用されている。【００５２】
また、本実施形態においては、主として導電率センサ３１、吸光度センサ３２、マイクロコンピュータ３３、駆動回路３６及びモニタ３７でもって、染色液の成分濃度モニタ装置が構成されている。また、主として導電率センサ３１、吸光度センサ３２、マイクロコンピュータ３３、インバータＮ１〜Ｎ３でもって、染色液の成分濃度制御装置が構成されている。【００５３】
次に、本実施形態に係る染色装置の作動について説明する。なお、この説明は、染色液Ｌを用いてポリビニルアルコール系フィルムＦを染色する例について行う。【００５４】
まず、染色ユニット１０においては、膨潤工程で含水した長尺のポリビニルアルコール系フィルムＦが、ガイドロール１７ａ〜１７ｄに沿って連続して染色槽１１の中に導入される。このポリビニルアルコール系フィルムＦは、染色槽１１の中で染色液Ｌによって染色される。その後、染色されたポリビニルアルコール系フィルムＦは、染色液Ｌを含んだ状態で連続して染色槽１１から導出される。【００５５】
ここで、染色液Ｌは、ヨウ素とヨウ素の溶解助剤であるヨウ化カリウムとを成分として含有する水溶液である。染色液Ｌの成分濃度は、被染色物であるポリビニルアルコール系フィルムＦに要求される染色濃度により適宜決定される。一般に、染色液Ｌは、染色液の重量に対して、ヨウ素を０．０１〜０．５（重量％）程度及びヨウ化カリウムを０．０１〜１５（重量％）程度含有する。また、染色液Ｌは、場合により数（重量％）程度のホウ酸を含有することもある。染色液Ｌの温度は、通常２０〜５０（℃）程度の範囲以内の温度であり、この染色液Ｌの中でのポリビニルアルコール系フィルムＦの浸漬時間は、通常１０〜３００（秒）程度の範囲以内の時間である。【００５６】
本実施形態においては、染色液Ｌは、染色液の重量に対して、ヨウ素を０．０３（重量％）及びヨウ化カリウムを０．６（重量％）含有している。また、染色液Ｌの温度は、３０（℃）であり、この染色液Ｌの中でのポリビニルアルコール系フィルムＦの浸漬時間は、６０（秒）とされている。【００５７】
次に、供給ユニット２０において、供給槽２１〜２３にそれぞれ貯えられているＩ2／ＫＩ混合水溶液、ＫＩ水溶液及び水について説明する。【００５８】
染色液Ｌの成分であるヨウ素は単独では水溶液とならず、その溶解助剤であるヨウ化カリウムを必要とする。従って、供給槽２１は、Ｉ2／ＫＩ混合水溶液を貯えている。【００５９】
ここで、供給槽２１に貯えられている上記Ｉ2／ＫＩ混合水溶液は、染色液Ｌへのヨウ素の追加を目的とするものである。従って、上記Ｉ2／ＫＩ混合水溶液のヨウ素の濃度 [Ｉ2]s1 は、染色液Ｌのヨウ素の濃度の管理値 [Ｉ2]t よりかなり大きく設定されている。【００６０】
また、上記混合水溶液のヨウ化カリウムは、染色液Ｌへのヨウ化カリウムの追加を目的とするものではなく、このヨウ化カリウムは、ヨウ素の溶解助剤として上記Ｉ2／ＫＩ混合水溶液に混合されている。従って、上記Ｉ2／ＫＩ混合水溶液のヨウ化カリウムの濃度 [ＫＩ]s1 は、上記ヨウ素の濃度 [Ｉ2]s1 を安定して保てる濃度範囲の中で小さく設定されている。【００６１】
本実施形態においては、染色液Ｌのヨウ素の濃度の管理値 [Ｉ2]t は、上述のように０．０３（重量％）であり、上記Ｉ2／ＫＩ混合水溶液のヨウ素の濃度 [Ｉ2]s1 は、０．２（重量％）とされている。このときの上記Ｉ2／ＫＩ混合水溶液のヨウ化カリウムの濃度 [ＫＩ]s1 は、１．０（重量％）とされている。【００６２】
一方、供給槽２２に貯えられているＫＩ水溶液は、染色液Ｌへのヨウ化カリウムの追加を目的とするものである。従って、上記ＫＩ水溶液のヨウ化カリウムの濃度  [ＫＩ]s2 は、染色液Ｌのヨウ化カリウムの濃度の管理値 [ＫＩ]t よりかなり大きく設定されている。【００６３】
本実施形態においては、染色液Ｌのヨウ化カリウムの濃度の管理値 [ＫＩ]t は、上述のように０．６（重量％）であり、上記ＫＩ水溶液のヨウ化カリウムの濃度 [ＫＩ]s2 は、１０．０（重量％）とされている。【００６４】
なお、供給槽２３に貯えられている水は、染色液Ｌのヨウ化カリウムの希釈を目的とするものである。【００６５】
このように、各供給槽２１〜２３から染色液Ｌに各成分が供給されることにより、後述のように、染色槽１１と調整槽１２とに貯えられた染色液Ｌの成分濃度は、各管理値 [Ｉ2]t 及び [ＫＩ]t に制御される。【００６６】
以下、染色液Ｌの成分濃度制御について説明する。まず、上記コンピュータプログラムをスタートすると、図２のステップ１０１において、循環ポンプ運転開始処理がなされる。この運転開始処理では、マイクロコンピュータ３３から所定の起動出力が駆動回路３４に出力される。すると、駆動回路３４は、上記起動出力に対応した駆動出力でもってモータＭ１を駆動する。【００６７】
その結果、ポンプＰ１は、モータＭ１による上記駆動のもと、調整槽１２内の染色液Ｌを循環配管１４ｂを通して染色槽１１に流入させる共に、染色槽１１内の染色液Ｌを循環配管１４ａを通して調整槽１２に流入させる。従って、染色液Ｌは、調整槽１２においてその成分濃度が調整された場合でも、この染色液Ｌは、染色槽１１と調整槽１２との中で速やかに均一化される。【００６８】
このように染色液Ｌが染色槽１１と調整槽１２との中で均一化されている状態で、ステップ１０２において、検出ポンプ運転開始処理がなされる。この運転開始処理では、マイクロコンピュータ３３から所定の起動出力が駆動回路３５に出力される。すると、駆動回路３５は、上記起動出力に対応した駆動出力でもってモータＭ２を駆動する。【００６９】
その結果、ポンプＰ２は、モータＭ２による上記駆動のもと、染色槽１１内の染色液Ｌを検出配管１５を通して調整槽１２に流入させる。【００７０】
このことにより染色槽１１内の染色液Ｌが導電率センサ３１及び吸光度センサ３２に接触し、それぞれの検出が行われる。【００７１】
そこで、ステップ１０３において、導電率αの読込処理がなされる。この読込処理では、導電率センサ３１によって検出された染色液Ｌの導電率αがマイクロコンピュータ３３に読込まれる。【００７２】
同様に、ステップ１０４において、吸光度βの読込処理がなされる。この読込処理では、吸光度センサ３２によって検出された染色液Ｌの吸光度βがマイクロコンピュータ３３に読込まれる。【００７３】
ここで、上記ステップ１０４における吸光度βの検出波長は、任意に選定することができるが、この検出波長は、一般には、３００ｎｍ〜７００ｎｍの範囲以内、好ましくは、４００ｎｍ〜７００ｎｍの範囲以内、より好ましくは、５００ｎｍ〜６００ｎｍの範囲以内から選定される。検出波長が３００ｎｍ以上あれば、ヨウ素の吸光度に対するヨウ化物イオンの影響が小さくなり、十分な検出精度が得られる。また、検出波長が７００ｎｍ以下であれば、ヨウ素の吸光度が大きくなり、十分な検出精度が得られる。従って、本実施形態においては、検出波長は、特に好ましいと考えられる５２０ｎｍに設定されている。【００７４】
上記各ステップで読込まれた検出値によって、以下に述べる染色液Ｌの成分濃度の各演算が行われる。まず、ステップ１０５において、ヨウ化カリウムの濃度 [ＫＩ]p の演算処理がなされる。この演算処理では、ステップ１０３で読込まれた導電率αを用いて、染色液Ｌのヨウ化カリウムの濃度 [ＫＩ]p が演算される。【００７５】
ここで、上記ステップ１０５の演算処理について詳しく説明する。本発明者らは、既知の濃度のヨウ素及びヨウ化カリウムを含有する一連の水溶液の導電率αを検出し、以下のことを実験的に確認した。即ち、染色液の導電率αは、電解質であるヨウ化カリウムの濃度 [ＫＩ] と相関関係を示すが、この導電率αは、ヨウ素の濃度 [Ｉ2] には大きく影響されない。また、ホウ酸等の他の成分は、導電率αの検出値に対して大きく影響しない。【００７６】
具体的には、ヨウ素を０〜０．２４（重量％）及びヨウ化カリウムを０〜９．６（重量％）含有する一連の水溶液が作成され、この一連の水溶液の導電率αが検出される。【００７７】
検出された一連の導電率αをヨウ化カリウムの濃度 [ＫＩ] に対して同一グラフ上にプロットすると、図５に示す導電率αとヨウ化カリウムの濃度 [ＫＩ] との相関関係を示すグラフが得られる。図５において、横軸の導電率αが決まれば、縦軸のヨウ化カリウムの濃度 [ＫＩ] が求められる。【００７８】
ここで、上記相関関係は、直線関係とみなされ、この相関関係は、導電率αを独立変数とし、ヨウ化カリウムの濃度 [ＫＩ] を従属変数とする下記の直線式（１）で示される。直線式（１）においてＡは係数であり、予め実験的に求められる。【００７９】
[ＫＩ] ＝ Ａ・α              ・・・（１）
従って、上記直線式（１）を予めマイクロコンピュータ３３に読出し可能に記憶させておくことにより、ステップ１０５において、染色液Ｌのヨウ化カリウムの濃度 [ＫＩ]p が演算される。【００８０】
また、ステップ１０６において、ＫＩ係数Ｓの演算処理がなされる。この「ＫＩ係数」とは、吸光度βとヨウ素の濃度 [Ｉ2] の関係に及ぼすヨウ化カリウムの濃度 [ＫＩ] の影響を表す係数である。このステップ１０６の演算処理では、ステップ１０５で演算された染色液Ｌのヨウ化カリウムの濃度 [ＫＩ]p を用いてＫＩ係数Ｓが演算される。【００８１】
ここで、上記ステップ１０６の演算処理について詳しく説明する。本発明者らは、既知の濃度のヨウ素及びヨウ化カリウムを含有する一連の水溶液の吸光度βを検出し、以下のことを実験的に確認した。即ち、染色液の吸光度βは、ヨウ素の濃度 [Ｉ2] と相関関係を示し、且つ、この吸光度βは、ヨウ化カリウムの濃度 [ＫＩ] に大きく影響される。【００８２】
具体的には、ヨウ素を０〜０．２４（重量％）及びヨウ化カリウムを０〜９．６（重量％）含有する一連の水溶液が作成され、この一連の水溶液の５２０ｎｍにおける吸光度βが検出される。【００８３】
検出された一連の吸光度βをヨウ素の濃度 [Ｉ2] に対して同一グラフ上にプロットすると、図６に示すグラフが得られる。図６から明らかなように、吸光度βとヨウ素の濃度 [Ｉ2] とは、良好な相関関係を示すが、ヨウ化カリウムの濃度 [ＫＩ]（＝ａ、ｂ及びｃ）の違いによって、各々独立した複数の直線関係と見なすことができる。このことは、上記相関関係が、ヨウ化カリウムの濃度 [ＫＩ] に大きく影響されることを示している。【００８４】
ここで、吸光度βとヨウ素の濃度 [Ｉ2] との相関関係を示す上記複数の直線関係は、吸光度βを独立変数とし、ヨウ素の濃度 [Ｉ2] を従属変数とする下記の一つの直線式（２）で示される。直線式（２）において係数Ｓは直線式の勾配であり、ヨウ化カリウムの濃度 [ＫＩ] によって変化する。この係数Ｓが、上記「ＫＩ係数」である。【００８５】
[Ｉ2] ＝ Ｓ・β              ・・・（２）
本発明者らは、図６において、ヨウ化カリウムの濃度 [ＫＩ] の異なる各々の直線のＫＩ係数Ｓを求め、ヨウ化カリウムの濃度 [ＫＩ] に対して同一グラフ上にプロットした。図７は、染色液のヨウ化カリウムの濃度 [ＫＩ] とＫＩ係数Ｓとの相関関係を示すグラフである。図７において、横軸のヨウ化カリウムの濃度 [ＫＩ] が決まれば、縦軸のＫＩ係数Ｓが求められる。【００８６】
ここで、上記相関関係は、直線関係とみなされ、この相関関係は、ヨウ化カリウムの濃度 [ＫＩ] を独立変数とし、ＫＩ係数Ｓを従属変数とする下記の直線式（３）で示される。直線式（３）においてＢは係数、Ｃは定数であり、予め実験的に求められる。【００８７】
Ｓ ＝ Ｂ・[ＫＩ] ＋ Ｃ        ・・・（３）
従って、上記直線式（３）を予めマイクロコンピュータ３３に読出し可能に記憶させておくことにより、ステップ１０６において、ＫＩ係数Ｓが演算される。【００８８】
そこで、ステップ１０７において、ヨウ素の濃度 [Ｉ2]p の演算処理がなされる。この演算処理では、ステップ１０４で読込まれた吸光度βとステップ１０６で演算されたＫＩ係数Ｓを用いて、上記直線式（２）から染色液Ｌのヨウ素の濃度 [Ｉ2]p が演算される。【００８９】
従って、上記直線式（２）を予めマイクロコンピュータ３３に読出し可能に記憶させておくことにより、ステップ１０７において、染色液Ｌのヨウ素の濃度 [Ｉ2]p が演算される。【００９０】
更に、ステップ１０８において、管理値からのずれの演算処理がなされる。この演算処理では、ステップ１０７で演算されたヨウ素の濃度 [Ｉ2]p 及びステップ１０５で演算されたヨウ化カリウムの濃度 [ＫＩ]p について各対応の所定の管理値 [Ｉ2]t 及び [ＫＩ]t からのずれ Δ[Ｉ2] 及び Δ[ＫＩ] が演算される。【００９１】
上記各管理値からの各ずれは、下記の式（４）及び式（５）によって演算される。【００９２】
Δ[Ｉ2] ＝ [Ｉ2]p − [Ｉ2]t      ・・・（４）
Δ[ＫＩ] ＝ [ＫＩ]p − [ＫＩ]t  ・・・（５）
そこで、まず、上記各管理値 [Ｉ2]t 及び [ＫＩ]t 並びに上記各式（４）及び式（５）を予めマイクロコンピュータ３３に読出し可能に記憶させておくことにより、上記各管理値からの各ずれが演算される。【００９３】
次に、ステップ１０９において、モニタ表示処理がなされる。この表示処理では、マイクロコンピュータ３３から表示データに対応した表示出力が駆動回路３６に出力される。すると、駆動回路３６は、上記表示出力に対応した駆動出力をモニタ３７に出力する。【００９４】
その結果、モニタ３７は、染色液Ｌのヨウ素の濃度 [Ｉ2]p 及びヨウ化カリウムの濃度 [ＫＩ]p 並びにそれぞれの管理値からのずれ Δ[Ｉ2] 及び Δ[ＫＩ] を表示する。更に、モニタ３７は、上記各管理値 [Ｉ2]p 及び [ＫＩ]p を表示するようにしてもよい。【００９５】
上述のように、染色液Ｌの各成分濃度とそれらの各管理値からのずれが把握される。そこで、これらのずれを減少させるように成分濃度制御が行われる。【００９６】
まず、染色液Ｌのヨウ素の濃度 [Ｉ2]p を制御する方法について説明する。図２のステップ１１０において、染色液Ｌのヨウ素の濃度 [Ｉ2]p が、所定の管理値 [Ｉ2]t 未満であるか否かが判定される。【００９７】
染色の進行により、染色液Ｌのヨウ素の濃度 [Ｉ2]p がその管理値 [Ｉ2]t より減少していれば、[Ｉ2]p が [Ｉ2]t 未満であるので、ステップ１１０においてＹＥＳと判定される。【００９８】
この場合、染色液Ｌのヨウ素の濃度 [Ｉ2]p を増加させる必要がある。そこで、Ｉ2／ＫＩ混合水溶液の供給を確認するために、ステップ１１１において、インバータＮ１が動作中か否かが判定される。インバータＮ１が動作中であれば、ステップ１１１においてＹＥＳと判定される。【００９９】
ここでは、Ｉ2／ＫＩ混合水溶液が供給されているが、更にその供給量を増加させるために、ステップ１１２において、インバータＮ１の出力増大処理がなされる。この出力増大処理では、マイクロコンピュータ３３から、ステップ１０８で演算された Δ[Ｉ2]（ここではプラスの値）の絶対値に比例して増大された補正出力がインバータＮ１に出力される。すると、インバータＮ１は、上記補正出力に比例した補正インバータ出力でもってモータＭ３を駆動する。即ち、Δ[Ｉ2] の絶対値が大きければ、上記補正インバータ出力の増大幅が大きくなり、Δ[Ｉ2] の絶対値が小さければ、上記補正インバータ出力の増大幅が小さくなる。【０１００】
その結果、ポンプＰ３は、モータＭ３による上記駆動のもと、その供給量を上記補正インバータ出力に比例して増大させる。よって、供給槽２１から染色槽１１に供給されるＩ2／ＫＩ混合水溶液の供給量が上記補正インバータ出力に比例して増大し、染色液Ｌのヨウ素の濃度 [Ｉ2]p が所定の管理値 [Ｉ2]t に制御される。【０１０１】
一方、インバータＮ１が停止中であれば、ステップ１１１においてＮＯと判定される。このとき、Ｉ2／ＫＩ混合水溶液の供給は停止している。【０１０２】
そこで、Ｉ2／ＫＩ混合水溶液の供給を開始させて、ヨウ素の濃度 [Ｉ2]p を速やかに増加させるために、ステップ１１３において、インバータＮ１の起動処理がなされる。この起動処理では、マイクロコンピュータ３３から所定の起動出力がインバータＮ１に出力される。すると、インバータＮ１は、上記起動出力に比例したインバータ出力でもってモータＭ３を駆動する。【０１０３】
その結果、ポンプＰ３は、モータＭ３による上記駆動のもと、供給槽２１内のＩ2／ＫＩ混合水溶液を調整槽１２に供給する。よって、染色液Ｌのヨウ素の濃度 [Ｉ2]p が増加し、所定の管理値 [Ｉ2]t に制御される。【０１０４】
ここで、マイクロコンピュータ３３からインバータＮ１に出力される所定の起動出力は、染色液Ｌのヨウ素の濃度の管理値 [Ｉ2]t、供給槽２１内のＩ2／ＫＩ混合水溶液のヨウ素の濃度 [Ｉ2]s1 及び染色槽１１へのポリビニルアルコール系フィルムの導入速度等の染色条件により決定され、この所定の起動出力は、予めマイクロコンピュータ３３に読出し可能に記憶させておく。【０１０５】
これに対して、染色液Ｌのヨウ素の濃度 [Ｉ2]p がその管理値 [Ｉ2]t と同じ又は大きくなっていれば、[Ｉ2]p が [Ｉ2]t 以上であるので、ステップ１１０においてＮＯと判定される。【０１０６】
ここで、ヨウ素の濃度 [Ｉ2]p がその管理値 [Ｉ2]t と同じ場合は、上記ステップ１０８で演算された Δ[Ｉ2] がゼロを意味する。一方、ヨウ素の濃度 [Ｉ2]p がその管理値 [Ｉ2]t より大きくなっている場合は、以下のように説明される。【０１０７】
即ち、染色の開始段階で調整されて染色槽１１に貯えられた染色液Ｌのヨウ素の濃度 [Ｉ2]p がその管理値 [Ｉ2]t より大きくなる場合、或いは、染色の進行段階で染色液Ｌの濃度制御のためにＩ2／ＫＩ混合水溶液が供給槽２１から調整槽１２に供給され過ぎて、ヨウ素の濃度 [Ｉ2]p がその管理値 [Ｉ2]t を上回るようになる場合がある。しかし、これらの場合においても、ポリビニルアルコール系フィルムＦが常に染色液Ｌの中のヨウ素を選択的に吸着しているため、染色液Ｌのヨウ素の濃度 [Ｉ2]p は、常に減少している。【０１０８】
従って、染色液Ｌのヨウ素の濃度 [Ｉ2]p は、染色の進行と共にすぐに減少してくるので、供給槽２１から調整槽１２に供給されるＩ2／ＫＩ混合水溶液の供給は停止する必要がなく、このＩ2／ＫＩ混合水溶液の供給量を減少させるだけでよい。【０１０９】
まず、Ｉ2／ＫＩ混合水溶液の供給を確認するために、ステップ１１４において、インバータＮ１が動作中か否かが判定される。インバータＮ１が停止中であれば、ステップ１１４においてＮＯと判定される。このとき、Ｉ2／ＫＩ混合水溶液の供給は停止しており、インバータＮ１を起動することなく、そのまま進行する。【０１１０】
一方、インバータＮ１が動作中であれば、ステップ１１４においてＹＥＳと判定される。ここでは、Ｉ2／ＫＩ混合水溶液が供給されているが、インバータＮ１の出力を停止することなく、この出力を減少させるために、ステップ１１５において、インバータＮ１の出力減少処理がなされる。この出力減少処理では、マイクロコンピュータ３３から、ステップ１０８で演算された Δ[Ｉ2]（ここではマイナスの値）の絶対値に比例して減少された補正出力がインバータＮ１に出力される。すると、インバータＮ１は、上記補正出力に比例した補正インバータ出力でもってモータＭ３を駆動する。【０１１１】
その結果、ポンプＰ３は、モータＭ３による上記駆動のもと、その供給量を上記補正インバータ出力に比例して減少させる。よって、供給槽２１から染色槽１１に供給されるＩ2／ＫＩ混合水溶液の供給量が上記補正インバータ出力に比例して減少し、染色液Ｌのヨウ素の濃度 [Ｉ2]p が所定の管理値 [Ｉ2]t に制御される。【０１１２】
上記ステップ１１０〜ステップ１１５における操作が適宜行われることにより、染色液Ｌのヨウ素の濃度 [Ｉ2]p は、所定の管理値 [Ｉ2]t に制御される。【０１１３】
続いて、染色液Ｌのヨウ化カリウムの濃度 [ＫＩ]p を制御する方法について、図３及び図４に示すフローチャートに従って説明する。【０１１４】
ここで、染色液Ｌの成分であるヨウ化カリウムは、ヨウ素とは独立した割合でその濃度が変化する。即ち、上述のように供給槽２１から上記Ｉ2／ＫＩ混合水溶液を供給して染色液Ｌのヨウ素の濃度 [Ｉ2]p をその管理値 [Ｉ2]t に制御した場合、染色液Ｌのヨウ化カリウムの濃度 [ＫＩ]p がその管理値 [ＫＩ]t より大きくなる場合と小さくなる場合が生じる。【０１１５】
そこで、染色液Ｌにヨウ化カリウムを追加するためのＫＩ水溶液とヨウ化カリウムを希釈するための水がそれぞれ独立して供給される。【０１１６】
まず、染色液Ｌのヨウ化カリウムの濃度 [ＫＩ]p を制御する前段階として、ステップ１１６において、このヨウ化カリウムの濃度 [ＫＩ]p が減少傾向にあるか否かが判定される。ここで、減少傾向にあるか否かは、以下のようにして判定される。【０１１７】
今回のステップ１０５で演算されたヨウ化カリウムの濃度を [ＫＩ]p1 とし、前回のステップ１０５で演算された値を [ＫＩ]p2 として、その差（ [ＫＩ]p1−[ＫＩ]p2 ）を求める。この差がマイナスの値であれば、染色液Ｌのヨウ化カリウムの濃度 [ＫＩ]p が減少傾向にある。また、上記差がプラスの値又はゼロであれば、染色液Ｌのヨウ化カリウムの濃度 [ＫＩ]p が増加傾向又は変化なしの状態にあり、このヨウ化カリウムの濃度 [ＫＩ]p が減少傾向にない。【０１１８】
同様に前回のステップ１０５で演算されたヨウ化カリウムの濃度 [ＫＩ]p2 と前々回のステップ１０５で演算された値 [ＫＩ]p3 との差（ [ＫＩ]p2−[ＫＩ]p3 ）を求める。この操作を今回のステップ１０５の直前、最大回数５回まで実施する。その結果、上記最大回数５回の差のうち過半数の差が減少傾向を示すとき、染色液Ｌのヨウ化カリウムの濃度 [ＫＩ]p が減少傾向にあるとしてステップ１１６においてＹＥＳと判定される。【０１１９】
以下、ヨウ化カリウムの濃度 [ＫＩ]p が減少傾向にあり、ステップ１１６においてＹＥＳと判定された場合について、図３に示すフローチャートのステップ１１７からステップ１２９に従って説明する。【０１２０】
ステップ１１７において、染色液Ｌのヨウ化カリウムの濃度 [ＫＩ]p が所定の管理値 [ＫＩ]t 未満であるか否かが判定される。【０１２１】
染色の進行又はヨウ素の濃度制御により、染色液Ｌのヨウ化カリウムの濃度 [ＫＩ]p がその管理値 [ＫＩ]t より減少していれば、[ＫＩ]p が [ＫＩ]t 未満であるので、ステップ１１７においてＹＥＳと判定される。【０１２２】
この場合、染色液Ｌのヨウ化カリウムの濃度 [ＫＩ]p がそれ以上低下しないようにする必要がある。そこで、水の供給を確認するために、ステップ１１８において、インバータＮ３が動作中か否かが判定される。インバータＮ３が動作中であれば、ステップ１１８においてＹＥＳと判定される。【０１２３】
よって、水の供給を停止するために、ステップ１１９において、インバータＮ３の出力停止処理がなされる。この出力停止処理では、インバータＮ３の出力が停止される。すると、モータＭ５は駆動を停止しポンプＰ５が停止する。【０１２４】
その結果、供給槽２３から調整槽１２への水の供給が停止して、染色液Ｌのヨウ化カリウムの濃度 [ＫＩ]p がそれ以上低下しないようになる。【０１２５】
一方、インバータＮ３が停止中であれば、ステップ１１８においてＮＯと判定される。このとき、水の供給は停止している。【０１２６】
次に、染色液Ｌのヨウ化カリウムの濃度 [ＫＩ]p を増加させる必要がある。そこで、ＫＩ水溶液の供給を確認するために、ステップ１２０において、インバータＮ２が動作中か否かが判定される。インバータＮ２が動作中であれば、ステップ１２０においてＹＥＳと判定される。【０１２７】
ここでは、ＫＩ水溶液が供給されているが、染色液Ｌのヨウ化カリウムの濃度 [ＫＩ]p は減少傾向にある（上記ステップ１１６において判定）。そこで、ＫＩ水溶液の供給量を増加させるために、ステップ１２１において、インバータＮ２の出力増大処理がなされる。この出力増大処理では、マイクロコンピュータ３３から、ステップ１０８で演算された Δ[ＫＩ]（ここではプラスの値）の絶対値に比例して増大された補正出力がインバータＮ２に出力される。すると、インバータＮ２は、上記補正出力に比例した補正インバータ出力でもってモータＭ４を駆動する。【０１２８】
その結果、ポンプＰ４は、モータＭ４による上記駆動のもと、その供給量を上記補正インバータ出力に比例して増大させる。よって、供給槽２２から調整槽１２に供給されるＫＩ水溶液の供給量が上記補正インバータ出力に比例して増大し、染色液Ｌのヨウ化カリウムの濃度 [ＫＩ]p が所定の管理値 [ＫＩ]t に制御される。【０１２９】
一方、インバータＮ２が停止中であれば、ステップ１２０においてＮＯと判定される。このとき、ＫＩ水溶液の供給は停止している。【０１３０】
そこで、ＫＩ水溶液の供給を開始させて、ヨウ化カリウムの濃度 [ＫＩ]p を速やかに増加させるために、ステップ１２２において、インバータＮ２の起動処理がなされる。この起動処理では、マイクロコンピュータ３３から所定の起動出力がインバータＮ２に出力される。すると、インバータＮ２は、上記起動出力に比例したインバータ出力でもってモータＭ４を駆動する。【０１３１】
その結果、ポンプＰ４は、モータＭ４による上記駆動のもと、供給槽２２内のＫＩ水溶液を調整槽１２に供給する。よって、染色液Ｌのヨウ化カリウムの濃度 [ＫＩ]p が増加し、所定の管理値 [ＫＩ]t に制御される。【０１３２】
ここで、マイクロコンピュータ３３からインバータＮ２に出力される所定の起動出力は、染色液Ｌのヨウ化カリウムの濃度の管理値 [ＫＩ]t、供給槽２２内のＫＩ水溶液のヨウ化カリウムの濃度 [ＫＩ]s2 及び染色槽１１へのポリビニルアルコール系フィルムの導入速度等の染色条件により決定され、この所定の起動出力は、予めマイクロコンピュータ３３に読出し可能に記憶させておく。【０１３３】
これに対して、ヨウ素の濃度制御のため染色液ＬにＩ2／ＫＩ混合水溶液が供給された結果、ヨウ化カリウムの濃度 [ＫＩ]p がその管理値 [ＫＩ]t と同じ或いは大きくなっていれば、[ＫＩ]p が [ＫＩ]t 以上であるので、ステップ１１７においてＮＯと判定される。【０１３４】
この場合、染色液Ｌのヨウ化カリウムの濃度 [ＫＩ]p がそれ以上増加しないようにする必要がある。そこで、ＫＩ水溶液の供給を確認するために、ステップ１２３において、インバータＮ２が動作中か否かが判定される。インバータＮ２が動作中であれば、ステップ１２３においてＹＥＳと判定される。【０１３５】
よって、ＫＩ水溶液の供給を停止するために、ステップ１２４において、インバータＮ２の出力停止処理がなされる。この出力停止処理では、インバータＮ２の出力が停止される。すると、モータＭ４は駆動を停止しポンプＰ４が停止する。【０１３６】
その結果、供給槽２２から調整槽１２へのＫＩ水溶液の供給が停止して、染色液Ｌのヨウ化カリウムの濃度 [ＫＩ]p がそれ以上増加しないようになる。【０１３７】
一方、インバータＮ２が停止中であれば、ステップ１２３においてＮＯと判定される。このとき、ＫＩ水溶液の供給は停止している。【０１３８】
次に、染色液Ｌのヨウ化カリウムの濃度 [ＫＩ]p を希釈する必要がある。そこで、水の供給を確認するために、ステップ１２５において、インバータＮ３が動作中か否かが判定される。インバータＮ３が動作中であれば、ステップ１２５においてＹＥＳと判定される。【０１３９】
ここでは、水が供給されているが、染色液Ｌのヨウ化カリウムの濃度 [ＫＩ]p は減少傾向にある（上記ステップ１１６において判定）。そこで、インバータＮ３の出力を制御して水の供給量を制御することが重要となる。その為に、ステップ１２６において、染色液Ｌのヨウ化カリウムの濃度 [ＫＩ]p が所定の閾値以下か否かが判定される。この閾値は、下記のように設定されている。【０１４０】
まず、過剰な水の供給を行えば上記ヨウ化カリウムの濃度 [ＫＩ]p がその管理値 [ＫＩ]t を超えて低くなり、濃度制御の精度が低下する。つまり、上記ヨウ化カリウムの濃度 [ＫＩ]p とその管理値 [ＫＩ]t との差が小さい場合には、インバータＮ３の出力は現状より小さくする必要が生じる。【０１４１】
一方、上記ヨウ化カリウムの濃度 [ＫＩ]p とその管理値 [ＫＩ]t との差が大きい場合には、インバータＮ３の出力を現状より増加させて、速やかに上記ヨウ化カリウムの濃度 [ＫＩ]p を減少させなければ逆に濃度制御の精度が低下する。【０１４２】
そこで、この濃度制御の精度をより高くするヨウ化カリウムの濃度が所定の閾値として設定される。上記所定の閾値は、上記ヨウ化カリウムの濃度の管理値 [ＫＩ]t、ポンプＰ５の吐出能力及びポリビニル系フィルムＦの導入速度等の染色条件により適切な値が設定される。なお、本実施形態においては、この閾値は、染色液Ｌのヨウ化カリウムの濃度の管理値 [ＫＩ]t の１０２％として設定されている。【０１４３】
上述の設定のもと、染色液Ｌのヨウ化カリウムの濃度 [ＫＩ]p が上記閾値以下であれば、ステップ１２６においてＹＥＳと判定される。【０１４４】
そこで、水の供給量を減少させて、ヨウ化カリウムの濃度 [ＫＩ]p を緩やかに希釈させるために、ステップ１２７において、インバータＮ３の出力減少処理がなされる。この出力減少処理では、マイクロコンピュータ３３から、ステップ１０８で演算された Δ[ＫＩ]（ここではマイナスの値）の絶対値に比例して減少された補正出力がインバータＮ３に出力される。すると、インバータＮ３は、上記補正出力に比例した補正インバータ出力でもってモータＭ５を駆動する。【０１４５】
その結果、ポンプＰ５は、モータＭ５による上記駆動のもと、その供給量を上記補正インバータ出力に比例して減少させる。よって、供給槽２３から調整槽１２に供給される水の供給量が上記補正インバータ出力に比例して減少し、染色液Ｌのヨウ化カリウムの濃度 [ＫＩ]p が所定の管理値 [ＫＩ]t に制御される。【０１４６】
また、染色液Ｌのヨウ化カリウムの濃度 [ＫＩ]p が上記閾値を越える場合は、ステップ１２６においてＮＯと判定される。【０１４７】
そこで、水の供給量を増加させて、ヨウ化カリウムの濃度 [ＫＩ]p を速やかに希釈させるために、ステップ１２８において、インバータＮ３の出力増大処理がなされる。この出力増大処理では、マイクロコンピュータ３３から、ステップ１０８で演算された Δ[ＫＩ]（ここではマイナスの値）の絶対値に比例して増大された補正出力がインバータＮ３に出力される。すると、インバータＮ３は、上記補正出力に比例した補正インバータ出力でもってモータＭ５を駆動する。【０１４８】
その結果、ポンプＰ５は、モータＭ５による上記駆動のもと、その供給量を上記補正インバータ出力に比例して増大させる。よって、供給槽２３から調整槽１２に供給される水の供給量が上記補正インバータ出力に比例して増大し、染色液Ｌのヨウ化カリウムの濃度 [ＫＩ]p が所定の管理値 [ＫＩ]t に制御される。【０１４９】
一方、インバータＮ３が停止中であれば、ステップ１２５においてＮＯと判定される。このとき、水の供給は停止している。【０１５０】
そこで、水の供給を開始させて、ヨウ化カリウムの濃度 [ＫＩ]p を速やかに希釈させるために、ステップ１２９において、インバータＮ３の起動処理がなされる。この起動処理では、マイクロコンピュータ３３から所定の起動出力がインバータＮ３に出力される。すると、インバータＮ３は、上記起動出力に比例したインバータ出力でもってモータＭ５を駆動する。【０１５１】
その結果、ポンプＰ５は、モータＭ５による上記駆動のもと、供給槽２３内の水を調整槽１２に供給する。よって、染色液Ｌのヨウ化カリウムの濃度 [ＫＩ]p が所定の管理値 [ＫＩ]t に制御される。【０１５２】
ここで、マイクロコンピュータ３３からインバータＮ３に出力される所定の起動出力は、染色液Ｌのヨウ化カリウムの濃度の管理値 [ＫＩ]t 、供給槽２２内のＫＩ水溶液のヨウ化カリウムの濃度 [ＫＩ]s2 及び染色槽１１へのポリビニルアルコール系フィルムの導入速度等の染色条件により決定され、この所定の起動出力は、予めマイクロコンピュータ３３に読出し可能に記憶させておく。【０１５３】
上述のように図３に示すフローチャートのステップ１１７からステップ１２９においては、ヨウ化カリウムの濃度 [ＫＩ]p が減少傾向にある場合を説明した。次に、ヨウ化カリウムの濃度 [ＫＩ]p が減少傾向を示さず（管理値と同じ又は増加傾向にある）、ステップ１１６においてＮＯと判定された場合について、図４に示すフローチャートのステップ１３０からステップ１４２に従って説明する。【０１５４】
ステップ１３０において、染色液Ｌのヨウ化カリウムの濃度 [ＫＩ]p が、所定の管理値[ＫＩ]t 未満であるか否かが判定される。【０１５５】
染色の進行又はヨウ素の濃度制御により、染色液Ｌのヨウ化カリウムの濃度 [ＫＩ]p がその管理値 [ＫＩ]t より減少していれば、[ＫＩ]p が [ＫＩ]t 未満であるので、ステップ１３０においてＹＥＳと判定される。【０１５６】
この場合には、染色液Ｌのヨウ化カリウムの濃度 [ＫＩ]p がそれ以上低下しないようにする必要がある。そこで、水の供給を確認するために、ステップ１３１において、インバータＮ３が動作中か否かが判定される。インバータＮ３が動作中であれば、ステップ１３１においてＹＥＳと判定される。【０１５７】
よって、水の供給を停止するために、ステップ１３２において、インバータＮ３の出力停止処理がなされる。この出力停止処理では、インバータＮ３の出力が停止される。すると、モータＭ５は駆動を停止しポンプＰ５が停止する。【０１５８】
その結果、供給槽２３から調整槽１２への水の供給が停止して、染色液Ｌのヨウ化カリウムの濃度 [ＫＩ]p がそれ以上低下しないようになる。【０１５９】
一方、インバータＮ３が停止中であれば、ステップ１３１においてＮＯと判定される。このとき、水の供給は停止している。【０１６０】
次に、染色液Ｌのヨウ化カリウムの濃度 [ＫＩ]p を増加させる必要がある。そこで、ＫＩ水溶液の供給を確認するために、ステップ１３３において、インバータＮ２が動作中か否かが判定される。インバータＮ２が動作中であれば、ステップ１３３においてＹＥＳと判定される。【０１６１】
ここでは、ＫＩ水溶液が供給されているが、染色液Ｌのヨウ化カリウムの濃度 [ＫＩ]p は減少傾向を示さず、管理値と同じ又は増加傾向にある（上記ステップ１１６において判定）。そこで、インバータＮ２の出力を制御してＫＩ水溶液の供給量を制御することが重要になる。その為に、ステップ１３４において、染色液Ｌのヨウ化カリウムの濃度 [ＫＩ]p が所定の閾値以上か否かが判定される。この閾値は、下記のように設定されている。【０１６２】
まず、過剰なＫＩ水溶液の供給を行えば上記ヨウ化カリウムの濃度 [ＫＩ]p がその管理値 [ＫＩ]t を超えて高くなり、濃度制御の精度が低下する。つまり、上記ヨウ化カリウムの濃度 [ＫＩ]p とその管理値 [ＫＩ]t との差が小さい場合には、インバータＮ２の出力は現状より小さくする必要が生じる。【０１６３】
一方、上記ヨウ化カリウムの濃度 [ＫＩ]p とその管理値 [ＫＩ]t との差が大きい場合には、インバータＮ２の出力を現状より増加させて、速やかに上記ヨウ化カリウムの濃度 [ＫＩ]p を増加させなければ逆に濃度制御の精度が低下する。【０１６４】
そこで、この濃度制御の精度をより高くするヨウ化カリウムの濃度が所定の閾値として設定される。上記所定の閾値は、上記ヨウ化カリウムの濃度の管理値 [ＫＩ]t、供給槽２２内のＫＩ水溶液のヨウ化カリウムの濃度 [ＫＩ]s2、ポンプＰ４の吐出能力及びポリビニル系フィルムＦの導入速度等の染色条件により適切な値が設定される。なお、本実施形態においては、この閾値は、染色液Ｌのヨウ化カリウムの濃度の管理値 [ＫＩ]t の９８％として設定されている。【０１６５】
上述の設定のもと、染色液Ｌのヨウ化カリウムの濃度 [ＫＩ]p が上記閾値以上であれば、ステップ１３４においてＹＥＳと判定される。【０１６６】
そこで、ＫＩ水溶液の供給量を増加させて、ヨウ化カリウムの濃度 [ＫＩ]p を緩やかに増加させるために、ステップ１３５において、インバータＮ２の出力減少処理がなされる。この出力減少処理では、マイクロコンピュータ３３から、ステップ１０８で演算された Δ[ＫＩ]（ここではプラスの値）の絶対値に比例して減少された補正出力がインバータＮ２に出力される。すると、インバータＮ２は、上記補正出力に比例した補正インバータ出力でもってモータＭ４を駆動する。【０１６７】
その結果、ポンプＰ４は、モータＭ４による上記駆動のもと、その供給量を上記補正インバータ出力に比例して減少させる。よって、供給槽２２から調整槽１２に供給されるＫＩ水溶液の供給量が上記補正インバータ出力に比例して減少し、染色液Ｌのヨウ化カリウムの濃度 [ＫＩ]p が所定の管理値 [ＫＩ]t に制御される。【０１６８】
また、染色液Ｌのヨウ化カリウムの濃度 [ＫＩ]p が上記閾値未満であれば、ステップ１３４においてＮＯと判定される。【０１６９】
そこで、ＫＩ水溶液の供給量を増加させて、ヨウ化カリウムの濃度 [ＫＩ]p を速やかに増加させるために、ステップ１３６において、インバータＮ２の出力増大処理がなされる。この出力増大処理では、マイクロコンピュータ３３から、ステップ１０８で演算された Δ[ＫＩ]（ここではプラスの値）の絶対値に比例して増大された補正出力がインバータＮ２に出力される。すると、インバータＮ２は、上記補正出力に比例した補正インバータ出力でもってモータＭ４を駆動する。【０１７０】
その結果、ポンプＰ４は、モータＭ４による上記駆動のもと、その供給量を上記補正インバータ出力に比例して増大させる。よって、供給槽２２から調整槽１２に供給されるＫＩ水溶液の供給量が上記補正インバータ出力に比例して増大し、染色液Ｌのヨウ化カリウムの濃度 [ＫＩ]p が所定の管理値 [ＫＩ]t に制御される。【０１７１】
一方、インバータＮ２が停止中であれば、ステップ１３３においてＮＯと判定される。このとき、ＫＩ水溶液の供給は停止している。【０１７２】
そこで、ＫＩ水溶液の供給を開始して、ヨウ化カリウムの濃度 [ＫＩ]p を速やかに増加させるために、ステップ１３７において、インバータＮ２の起動処理がなされる。この起動処理は、上記ステップ１２２の起動処理と同一である。即ち、マイクロコンピュータ３３から所定の起動出力がインバータＮ２に出力される。すると、インバータＮ２は、上記起動出力に比例したインバータ出力でもってモータＭ４を駆動する。【０１７３】
その結果、ポンプＰ４は、モータＭ４による上記駆動のもと、供給槽２２内のＫＩ水溶液を調整槽１２に供給する。よって、染色液Ｌのヨウ化カリウムの濃度 [ＫＩ]p が増加し、所定の管理値 [ＫＩ]t に制御される。【０１７４】
これに対して、ヨウ素の濃度制御のため染色液ＬにＩ2／ＫＩ混合水溶液が供給された結果、ヨウ化カリウムの濃度 [ＫＩ]p がその管理値 [ＫＩ]t と同じ或いは大きくなっていれば、[ＫＩ]p が [ＫＩ]t 以上であるので、ステップ１３０においてＮＯと判定される。【０１７５】
この場合には、染色液Ｌのヨウ化カリウムの濃度 [ＫＩ]p がそれ以上増加しないようにする必要がある。そこで、ＫＩ水溶液の供給を確認するために、ステップ１３８において、インバータＮ２が動作中か否かが判定される。インバータＮ２が動作中であれば、ステップ１３８においてＹＥＳと判定される。【０１７６】
よって、ＫＩ水溶液の供給を停止するために、ステップ１３９において、インバータＮ２の出力停止処理がなされる。この出力停止処理では、インバータＮ２の出力が停止される。すると、モータＭ４は駆動を停止しポンプＰ４が停止する。【０１７７】
その結果、供給槽２２から調整槽１２へのＫＩ水溶液の供給が停止して、染色液Ｌのヨウ化カリウムの濃度 [ＫＩ]p がそれ以上増加しないようになる。【０１７８】
一方、インバータＮ２が停止中であれば、ステップ１３８においてＮＯと判定される。このとき、ＫＩ水溶液の供給は停止している。【０１７９】
次に、染色液Ｌのヨウ化カリウムの濃度 [ＫＩ]p を希釈する必要がある。そこで、水の供給を確認するために、ステップ１４０において、インバータＮ３が動作中か否かが判定される。インバータＮ３が動作中であれば、ステップ１４０においてＹＥＳと判定される。【０１８０】
ここでは、水が供給されているが、染色液Ｌのヨウ化カリウムの濃度 [ＫＩ]p は減少傾向を示さず、管理値と同じ又は増加傾向にある（上記ステップ１１６において判定）。そこで、水の供給量を増加させるために、ステップ１４１において、インバータＮ３の出力増大処理がなされる。この出力増大処理では、マイクロコンピュータ３３から、ステップ１０８で演算された Δ[ＫＩ]（ここではマイナスの値）の絶対値に比例して増大された補正出力がインバータＮ３に出力される。すると、インバータＮ３は、上記補正出力に比例した補正インバータ出力でもってモータＭ５を駆動する。【０１８１】
その結果、ポンプＰ５は、モータＭ５による上記駆動のもと、その供給量を上記補正インバータ出力に比例して増大させる。よって、供給槽２３から調整槽１２に供給される水の供給量が上記補正インバータ出力に比例して増大し、染色液Ｌのヨウ化カリウムの濃度 [ＫＩ]p が所定の管理値 [ＫＩ]t に制御される。【０１８２】
一方、インバータＮ３が停止中であれば、ステップ１４０においてＮＯと判定される。このとき、水の供給は停止している。【０１８３】
そこで、水の供給を開始させて、ヨウ化カリウムの濃度 [ＫＩ]p を速やかに希釈させるために、ステップ１４２において、インバータＮ３の起動処理がなされる。この起動処理は、上記ステップ１２９の起動処理と同一である。即ち、マイクロコンピュータ３３から所定の起動出力がインバータＮ３に出力される。すると、インバータＮ３は、上記起動出力に比例したインバータ出力でもってモータＭ５を駆動する。【０１８４】
その結果、ポンプＰ５は、モータＭ５による上記駆動のもと、供給槽２３内の水を調整槽１２に供給する。よって、染色液Ｌのヨウ化カリウムの濃度 [ＫＩ]p が所定の管理値 [ＫＩ]t に制御される。【０１８５】
上述の各ステップにより、染色液Ｌのヨウ素の濃度 [Ｉ2]p 及びヨウ化カリウムの濃度 [ＫＩ]p がそれぞれの管理値 [Ｉ2]t 及び [ＫＩ]t に制御される。【０１８６】
続くステップ１４３（図３に示すフローチャートに戻る）において、濃度制御を終了するか否かが判定される。ここでは、染色装置の運転前又は運転中にマイクロコンピュータ３３に入力された停止命令を確認する。停止命令を確認しなければ、濃度制御を続けるためにステップ１４３においてＮＯと判定され、ステップ１０３（図２に示すフローチャートに戻る）に戻り、プログラムが継続して進行する。【０１８７】
一方、濃度制御を終了する場合には、停止命令を確認し、ステップ１４３においてＹＥＳと判定される。【０１８８】
この場合には、ステップ１４４において、測定ポンプ運転停止処理がなされる。この運転停止処理では、駆動回路３５の出力が停止される。すると、モータＭ２は駆動を停止しポンプＰ２が停止する。【０１８９】
更に、ステップ１４５において、循環ポンプ運転停止処理がなされる。この運転停止処理では、駆動回路３４の出力が停止される。すると、モータＭ１は駆動を停止しポンプＰ１が停止する。【０１９０】
上述のように、本実施形態においては、これまで困難とされていた染色液の成分濃度を把握し各管理値に制御することが可能になる。【０１９１】
即ち、ポリビニルアルコール系フィルムの染色工程において、経時的に変化する染色液のヨウ素の濃度及びヨウ化カリウムの濃度について各所定の管理値からのずれを求め、求められた各管理値からのずれを減少させるように染色液の成分であるヨウ素、ヨウ化カリウム及び水を染色液に追加する供給量を制御することができる。【０１９２】
従って、染色液の成分濃度を経時的に一定に制御することができるようになり、ポリビニルアルコール系フィルムに染色されるヨウ素の量が安定し、得られた偏光子の品質の安定と歩留りの向上が可能となる。【０１９３】
また、本実施形態においては、染色液の容量を多くすることもなく、経験等に基づく処理数量を指標として、新しい染色液に入れ替えるという対応をとる必要がない。従って、処理液のコストアップとならず、また、液交換のために装置停止をすることなく、生産性が向上する。【０１９４】
なお、上記実施形態は、本発明を染色装置に適用したものであるが、本発明の実施にあたり、上記実施形態に限らず、次のような種々の変形例が挙げられる。【０１９５】
１．上記実施形態に対して、ヨウ化カリウムの濃度 [ＫＩ]p の演算処理ステップ１０５において、染色液のヨウ化カリウムの濃度 [ＫＩ]p を上記直線式（１）から算出する代わりに、導電率αとヨウ化カリウムの濃度 [ＫＩ] の相関関係（図５参照）をデータベースとして、上記ステップ１０３で読込まれた導電率αに基づいてマイクロコンピュータの演算手段を使用して計算処理してもよい。【０１９６】
２．上記実施形態に対して、ＫＩ係数Ｓの演算処理ステップ１０６において、ＫＩ係数Ｓを上記直線式（３）から算出する代わりに、染色液のヨウ化カリウムの濃度 [ＫＩ] とＫＩ係数Ｓとの相関関係（図７参照）をデータベースとして、上記ステップ１０５で演算されたヨウ化カリウムの濃度 [ＫＩ]p に基づいてマイクロコンピュータの演算手段を使用して計算処理してもよい。【０１９７】
３．上記実施形態に対して、ヨウ素の濃度 [Ｉ2]p の演算処理ステップ１０７において、染色液のヨウ素の濃度 [Ｉ2]p を上記直線式（２）から算出する代わりに、吸光度βとヨウ素の濃度 [Ｉ2] との相関関係（図６参照）をデータベースとして、上記ステップ１０４で読込まれた吸光度βと上記ステップ１０５で演算されたヨウ化カリウムの濃度 [ＫＩ]p に基づいてマイクロコンピュータの演算手段を使用して計算処理してもよい。【０１９８】
但し、上記ステップ１０５で演算されたヨウ化カリウムの濃度 [ＫＩ]p の値が、図６で求められている値（ [ＫＩ]＝ａ、ｂ又はｃ ）と一致しないことがある。例えば、上記ステップ１０５で演算されたヨウ化カリウムの濃度 [ＫＩ]p が、図６で求められている値（ [ＫＩ]＝ａ ）と値（ [ＫＩ]＝ｂ ）の間にある場合である。この場合には、図６で求められている値（ [ＫＩ]＝ａ、ｂ又はｃ ）をデータベースとして、マイクロコンピュータの演算手段を使用して比例計算により計算処理してもよい。【０１９９】
４．上記実施形態に対して、供給ユニットから調整槽への各成分の供給は、Ｉ2／ＫＩ混合水溶液、ＫＩ水溶液及び水による供給に限るものではない。即ち、ヨウ素、ヨウ化カリウム及び水をそれぞれどのような組合せで供給してもよく、また、それぞれ単独で供給してもよい。この場合、ヨウ素及びヨウ化カリウムを粉体の状態で供給することもできる。【０２００】
５．上記実施形態に対して、供給ユニットから調整槽への各成分の供給は、水溶液の状態での供給に限るものではない。例えば、アルコール溶液、乳化液又は分散液等の状態で供給することもできる。【０２０１】
６．上記実施形態に対して、供給ユニットからの水の供給は、水をストックした供給槽からの供給に限るものではない。即ち、水をストックすることなく供給水配管から直接供給してもよい。この場合、水が供給配管中を圧送されている場合には、ポンプの代わりに、バルブの開閉により供給量を調節してもよい。【０２０２】
７．上記実施形態に対して、染色ユニットの調整槽を備えることなく、供給ユニットからの各成分供給を染色槽に直接供給するようにしてもよい。【０２０３】
８．上記実施形態に対して、染色ユニットの回収槽を備えることなく、染色槽からの余剰の染色液は、廃棄するようにしてもよい。【０２０４】
９．上記実施形態に対して、制御ユニットの導電率センサと吸光度センサは、検出配管の管路に設置することなく、染色槽に直接設置してもよい。【０２０５】
１０．上記実施形態におけるモニタには、ディスプレイ、各種記録計又はプリンター等も含まれるが、これらのモニタに代えて、或いは、これらのモニタと併用して、各管理値からのずれが所定の範囲を超えた場合に、警告灯による表示をするようにしてもよい。【０２０６】
１１．上記実施形態に対して、染色液の成分であるヨウ素の濃度のみを制御するようにしてしてもよい。偏光子の性能は主に染色液のヨウ素の濃度に影響され、これをある程度許容できる場合もあるからである。【０２０７】
１２．各ポンプＰ１〜Ｐ５は、上記実施形態にて述べた例に限ることなく、例えば、モータと別体のポンプであってもよく、一般的には、モータ及びポンプの組み合わせからなるものであればよい。
【図面の簡単な説明】
【０２０８】
【図１】本発明の染色装置の一実施形態を示す構成図である。
【図２】上記実施形態におけるマイクロコンピュータの作動を示すフローチャートの前段部分である。
【図３】上記実施形態におけるマイクロコンピュータの作動を示すフローチャートの中段部分である。
【図４】上記実施形態におけるマイクロコンピュータの作動を示すフローチャートの後段部分である。
【図５】上記実施形態における染色液の導電率とヨウ化カリウムの濃度との相関関係を示すグラフである。
【図６】上記実施形態における染色液の吸光度とヨウ素の濃度との相関関係を示すグラフである。
【図７】上記実施形態における染色液のヨウ化カリウムの濃度とＫＩ係数との相関関係を示すグラフである。
【符号の説明】
【０２０９】
１０…染色ユニット、１１…染色槽、１２…調整槽、１３…回収槽、１４a〜１４b…循環配管、１５…検出配管、１６…回収配管、１７ａ〜１７ｄ…ガイドロール、２０…供給ユニット、２１〜２３…供給槽、２４〜２６…供給配管、３０…制御ユニット、３１…導電率センサ、３２…吸光度センサ、３３…マイクロコンピュータ、３４〜３６…駆動回路、３７…モニタ、Ｆ…ポリビニルアルコール系フィルム、Ｌ…染色液、Ｍ１〜Ｍ５…モータ、Ｎ１〜Ｎ３…インバータ、Ｐ１〜Ｐ５…ポンプ。
【図１】
0005199085.tif 000002
【図２】
0005199085.tif 000003
【図３】
0005199085.tif 000004
【図４】
0005199085.tif 000005
【図５】
0005199085.tif 000006
【図６】
0005199085.tif 000007
【図７】
0005199085.tif 000008